(57)【要約】  【目的】  スプリングバック現象を抑制し、ボール受座部がボールの表面形状により近似し、円滑なボール回転とし、安定した連続した筆跡を得る。  【構成】  内包突出部の形成角度を９０°以上とし、該内包突出部にボールを押しつけることによって凹状のボール転写部を形成する際、内包突出部の肉がボールにより押し込まれる体積が０．００１５ｍｍ３以上であるボールペンチップ。【選択図】  図３
2015160394.tif 000002
【特許請求の範囲】
【請求項１】
筆記部材としてのボールと、このボールを回転自在に抱持してなるボールホルダーとから少なくともなり、ボールホルダーは貫通孔内に複数の内包突出部を放射状に配置して、インキ通路としての中心孔と放射状のインキ通溝とを形成しつつボールの後方移動規制をなし、また、内包突出部にボールを押しつけることによって凹状のボール転写部を形成したボールペンチップにおいて、前記内包突出部の形成角度を９０°以上とし、前記ボール転写部が形成される際、内包突出部の肉がボールにより押し込まれる体積が０．００１５ｍｍ３以上であるボールペンチップ。
【発明の詳細な説明】
【技術分野】
【０００１】
本発明は、筆記部材としてのボールと、このボールを貫通孔であるインキ通孔の先端開口部から一部突出して抱持し、インキ通孔の内壁中腹部分に内包突出部を形成することによってボールの前後移動可能範囲を規定するボールハウス部を形成したボールホルダーとを有し、前記内包突出部にボールを押し付けることによって凹状のボール転写部を形成したボールペンチップに関するものである。
【背景技術】
【０００２】
従来、滑らかで軽い書き味を得るために、特開２０１１−１２６１８８号公報（特許文献１）に記載の発明では、ボールホルダーの内側面をボールの表面に押し付けることによって略ボールの曲率に転写されて形成されるボール転写部を規定したボールペンチップが開示されている。
【先行技術文献】
【特許文献】
【０００３】
【特許文献１】特開２０１１−１２６１８８
【発明の概要】
【発明が解決しようとする課題】
【０００４】
内包突出部に形成する凹状のボール転写部は、筆記時にボールが回転する際の座の部分として機能し、その形状や状態はボールの円滑な回転に大きく影響する。
上記の特許文献に開示されているボールペンチップは、ボール転写部表面積の径方向の量だけでなく、長手方向（深さ方向）の量も考慮し、ボール転写部の表面積を適正範囲に規定することで、ボールホルダーの内壁面の広い範囲に潤滑剤としてのインキ層が形成され、斜めにボールペンを把持して筆記された際でも滑らかな筆記感が得られるものとしている。しかし、滑らかさに加え、軽い書き味を目的にした低粘度油性インキでは、前記ボール転写部とボールとの間の関係は、筆記者の筆記圧により混合潤滑から境界潤滑領域となり、高筆記圧の場合、境界潤滑領域となる事があり、潤滑剤であるインキ膜が薄くなり、十分に広い表面積のボール転写部としていてもインキの潤滑剤としての機能を十分に発揮させられない場合があった。
即ち、ボール転写部がボールや、球形面を有する押し付け治具などを衝打するなどして押しつけることによって形成されるものであるので、変形される内包突出部には所謂スプリングバックが発生し、ボールの曲率と大きく異なる形状となって、ボールの回転が不均一となり筆記線が部分的に途切れる現象が起こることがあった。
【課題を解決するための手段】
【０００５】
本願発明は、筆記部材としてのボールと、このボールを回転自在に抱持してなるボールホルダーとから少なくともなり、ボールホルダーは貫通孔内に複数の内包突出部を放射状に配置して、インキ通路としての中心孔と放射状のインキ通溝とを形成しつつボールの後方移動規制をなし、また、内包突出部にボールを押しつけることによって凹状のボール転写部を形成したボールペンチップにおいて、前記内包突出部の形成角度を９０°以上とし、前記ボール転写部が形成される際、内包突出部の肉がボールにより押し込まれる体積が０．００１５ｍｍ３以上であるボールペンチップを要旨とするものである。
【発明の効果】
【０００６】
凹状のボール転写部を形成する際に、十分な押し込み体積を確保することにより、内包突出部のスプリングバックの量を極力抑制することができる。また、押し込まれる際にボールが接触する部分の形成角度である受座角度を鈍角にすることによって、スプリングバックが起こりにくくなる塑性変形が優位な押し込み体積である０．００１５ｍｍ３以上とする際の押圧方向（ボールホルダーの長手方向）のボールの移動量が、受座角度が鋭角な場合に比べて多くなり、押圧方向径の膨らみに消費されずに効率的に応力をかけられるので、弾性応答のない塑性変形になりやすく、よりスプリングバックが発生し難くなり、ボール受座部がボールの表面形状により近似し、ボールの円滑な回転を保証し易いものとなるものと推察され、安定した連続した筆跡が得られる。
【図面の簡単な説明】
【０００７】
【図１】本発明のボールペンの一例の縦断面図。
【図２】本発明のボールペンチップの一例の縦断面図。
【図３】図２のＩ部拡大図。
【図４】本発明のボールペンチップの凹状のボール転写部が形成される前の縦断面図。
【図５】内包突出部の肉がボールにより押し込まれる体積を計算するための説明図。
【図６】内包突出部の肉がボールにより押し込まれる体積を計算するための説明図。
【図７】内包突出部の肉がボールにより押し込まれる体積を計算するための説明図。
【図８】内包突出部の肉がボールにより押し込まれる体積を計算するための説明図。
【図９】内包突出部の肉がボールにより押し込まれる体積を計算するための説明図。
【図１０】凹状のボール転写部の表面積を計算するための説明図。
【発明を実施するための形態】
【０００８】
筆記部材となるボールとしては、タングステンカーバイドなどの超硬合金や、シリコンカーバイドなどのセラミックス焼結体などで形成される。
このようなボールは、例えば、タングステンカーバイド７５ｗｔ％〜９５ｗｔ％、コバルトやニッケル、クロムなどのバインダー金属が５ｗｔ％〜２５ｗｔ％。好ましくは、タングステンカーバイド８７．５ｗｔ％〜９５．５ｗｔ％、コバルトやニッケル、クロムなどのバインダー金属が４．５ｗｔ％〜１２．５ｗｔ％。が主な配合物であり、表面の物理的及び／又は化学的研磨処理によって微細なバインダー金属が除去され、ボール表面に２ｎｍ〜２０ｎｍ程度の微細な凹部が形成されたものである。
具体的には、除去されるバインダー金属の含有量は、１０ｗｔ％が好ましい。
このボール表面の微細な凹部は、内包突出部に押し付けられるボールや治具などの表面状態が転写されるので、ボールの回転し易さから、より表面が平滑で凹凸の少ないものを押し付けたほうが好ましいが、反面、筆記時の紙面とボールとの摩擦力が低下するので低荷重で筆記した際、ボールがスリップしやすくなるので、４ｎｍ〜１５ｎｍ程度の算術平均粗さＲａを有していることが実質的には好ましい。
但し、必ずしも筆記用のボールで転写部を形成する必要はなく、例えば、筆記用ボールより算術平均粗さＲａが低いボールで転写部を形成した後に、ボールを抜き取り、筆記用のボールを設置するようなこともでき、ボールとボール転写部との回転し易さを向上しつつ、紙面とボールとの摩擦力を上げることができる。押圧治具によるボール転写部形成方法でも同様に筆記用のボールより算術平均粗さＲａを低く形成された押圧治具を使用することで同様の効果が得られる。
また、インキ中にリン酸エステル系などの潤滑剤を添加した場合には、潤滑剤のリン酸部分などが吸着し易い超硬金属で、インキ粘度が２００〜２０００ｍＰａ・ｓ、剪断減粘指数が０．９〜１．０程度のインキであることによって、算術平均粗さＲａで４ｎｍ〜１５ｎｍ程度の表面粗さの凹状部分にインキが浸入し易く、ボール表面がインキに濡れた状態を確保しやすいのでボールとボール転写部との間にインキが介在し易く、インキがボールの回転における潤滑剤として働きやすくなり好ましい。
【０００９】
ボールホルダーとなる金属製の円柱部材の材質は、ステンレスや黄銅、洋白などよって形成され、耐久性の面からステンレスが好ましく、一般的にはオーステナイト系ステンレスＳＵＳ３０４、フェライト系ステンレスＳＵＳ４３０が用いられる。
スプリングバック現象は、対象となる部材に対して付与される押圧力に対し、その押圧力を開放した際に、弾性変形に相当する変形量分形状が戻ろうとすることで発生する。弾性変形の量は、材質固有の降伏点（応力）で決まるが、明確な降伏点が存在しないもの（真鍮など）では、一般的に０．２％耐力を弾性変形のなくなる目安としている。降伏点または０．２％耐力の低い材質が好ましいがＳＵＳ３０４とＳＵＳ４３０では、降伏点の差は殆どない。しかし、一般的に硬い材料のほうが応力が蓄積されやすく、スプリングバックが発生し易いので硬度が低いＳＵＳ４３０のほうが好ましい。また、金属製の円柱部材を所定の外形寸法に仕上げるには、ダイスに材料を押し込む伸線工程を数回行うが、この工程により結晶粒が小さくなり硬化するので伸線後、熱処理をし、結晶粒を元の大きさに戻し加工硬化を除去しておくとよい。
【００１０】
ボールを抱持するボールホルダーは、貫通孔としてのインキ通路の途中に、ボールの後退規制部となる内包突出部を備え、先端開口部にはボールの直径よりも小径に加工したカシメ部を形成しボールの抜け止めとしている。
内包突出部は、中心孔と、放射状の貫通溝とによって略均等に分割され、周状に配置されている。放射状溝は、ボールの外側部分にインキを流入させる路となるものであり、インキの流量のみを考慮すれば、多数で幅広の方が好ましいが、凹状のボール転写部を形成する際の押し込み体積が少なくなることとなるので適宜本数、適宜幅となるように調整される。放射状溝の現実的な幅としては、０．０７ｍｍ〜０．１ｍｍ程度、本数としては３本〜６本程度が好ましい。この放射状溝は、ボールホルダーを金属製のパイプ材を使用して形成することもでき、外側からポンチによる押圧加工にてパイプ側壁を内側に凹ませることによって内包突出部を周状に複数形成することによって得られる。
【００１１】
ボールを設置して、ボールを内方突出部に押し付けることによって内方突出部を変形する場合、押し込む体積を多くするには、ボールを強く押圧することによって内方突出部の変形量を多く（深く）し、凹状のボール転写部を広くしたり、中心孔を小さくすることで増加することができるが、凹状のボール転写部の外縁径が大きくなり過ぎると、インキ流通路である放射状溝のボール外側に開口した有効放射状溝が減少することとなり、インキ流量が減少する。また、中心孔も小さくし過ぎるとインキ流量が減少する。特に、インキの漏れ出し防止を目的に中心孔にコイルスプリングを挿入し、その先端で直接又は部材を介してボールを前方付勢し、ボールホルダーの先端開口部の内縁にボールを周接するものでは、よりインキ流量が減少する。好ましい値としては、凹状のボール転写部の外縁径は、０．３ｍｍ〜０．７ｍｍ程度、中心孔の径は、０．２ｍｍ〜０．５ｍｍ程度である。
【００１２】
また、凹状のボール転写部形成前のボールを設置する際のボール座となる内包突出部の底面は、切削刃をボールホルダーのボール側より挿入して形成される切削刃の先端形状が転写され、ボール受座としての角度となり、受座角度が鈍角なほど、凹状のボール転写部を形成する際の押し込み力の径方向分力より押圧方向分力の比率が大きくなり好ましい。また、受座角度が鈍角なほど、ボールを受座に設置した際のボール位置がより中心孔方向に近づくため、受座角度が鋭角な場合に比べて、同一押し込み体積を得る場合、押圧方向へのボール移動量が多くなり、凹状のボール転写部表面積が小さすることができ、必要以上の凹状のボール転写部の大化や中心孔の小化をしなくて良く、効率的に応力をかけられる。
従って、受座角度である前記内包突出部の形成角度を９０°以上とし、凹状のボール転写部の大きさ、中心孔径、放射状溝幅・本数を適宜、組み合わせ、押し込み体積を０．００１５ｍｍ３以上に設定することが肝要である。好ましい内包突出部の形成角度は、９０°〜１２０°である。
その後、ボールホルダーの先端をボールの直径よりも小径にカシメ、ボールの抜け止めを施す。
尚、ボールホルダーの先端をボールの直径よりも小径にカシメた後に、ボールを内方突出部に押し付け、凹状のボール転写部を形成しても良い。
尚、前述したように、スプリングバックを抑制するには、内包突出部に、より大きな応力を掛けることとなるが、前記内包突出部の強度の点から、０．００６ｍｍ３以下の押し込み体積とすると好ましい。
【００１３】
前述した内包突出部の肉がボールにより押し込まれる体積及び凹状のボール転写部の表面積の計算は次の方法に基づいた。
図５〜図９は、図４のＩＩ部を拡大した図で内包突出部の肉がボールにより押し込まれる体積を計算するための説明図である。また、図１０図は、同じく、図４のＩＩ部を拡大した図で凹状のボール転写部の表面積を計算するための説明図である。尚、体積及び表面積を算出するための説明図なので放射状溝は図示せず、計算に該当する立体及び縦断面形状を斜線で表した
【００１４】
（１）ボール転写部が形成される際、内包突出部の肉がボールにより押し込まれる体積は、ボールを球体とみなし、ボールを凹状のボール転写部の外縁周長さに該当する横断周となる部分で切断した球冠の体積Ｖ１から、底径を凹状のボール転写部の外縁とし上径を中心孔の直径とした円錐台の体積Ｖ２と、中心孔に相当する部分の容積Ｖ３（中心孔の内壁を外壁部分と仮定した円柱体積）と、中心孔のボール転写部への開口縁を通る平面で切断した球冠の体積Ｖ４、及び、凹状のボール転写部形成前に放射状溝であった部分に相当する部分の容積Ｖ５を差し引いた分の体積となる。尚、説明の便宜上、図示では縦断面で示してあり、該当部分の記号は、単に部位を示すものに過ぎない。
凹状のボール転写部の外縁周長さに該当する横断周となる部分で切断した球冠の体積は、図５に示すように、ボールの直径をＤ、切断面（凹状のボール転写部の外縁を通る面）からの高さをＨ１とすると球冠であり、球冠の体積の公式より、
Ｖ１＝（π／３）×Ｈ１２×｛（３Ｄ／２）−Ｈ１｝
となる。
高さＨ１は、ボール中心からボール転写部の外縁までの投影高さＨ０をボール半径から差し引きし求められ、高さＨ０は、ボールの直径Ｄ及び、ボール転写部の外縁径Ｓから、三平方の定理にて導き出すことができる。
Ｈ０＝√｛（Ｄ／２）２−（Ｓ／２）２｝＝√｛（１／４）×（Ｄ２−Ｓ２）｝
Ｈ１＝（Ｄ／２）−Ｈ０
＝（Ｄ／２）−√｛（１／４）×（Ｄ２−Ｓ２）｝
次に、底径を凹状のボール転写部の外縁とし、上径を中心孔とした円錐台の体積Ｖ２は、図６に示すように、底径を凹状のボール転写部の外縁径Ｓ、高さＨ２とした円錐の体積から底径を中心孔径Ｎ、高さＨ３とした円錐の体積を差し引いた体積となり、
Ｖ２＝（π／３）×｛（Ｓ／２）２×Ｈ２−（Ｎ／２）２×Ｈ３｝
となる。
高さＨ２は、ボール転写部の外縁径及び内包突出部の形成角度θから、三角関数にて導き出すことができ、
Ｈ２＝（Ｓ／２）×｛１／ｔａｎ（θ／２）｝
で求められる。
同様に、高さＨ３は、
Ｈ３＝（Ｎ／２）×｛１／ｔａｎ（θ／２）｝
で求められる。
次に、中心孔に相当する部分の容積Ｖ３（中心孔の内壁を外壁部分と仮定した円柱体積）は、図７に示すように、中心孔の開口面積と、ボール中心から中心孔の側壁が凹状のボール転写面に接するまでの投影高さＨ４から、ボール中心からボール転写部の外縁までの投影高さＨ０と、底径を凹状のボール転写部の外縁とし上径を中心孔の直径とした円錐台の高さとを差し引きした高さＨ５を有する円柱であり、
Ｖ３＝π×（Ｎ／２）２×Ｈ５
＝π×（Ｎ／２）２×｛Ｈ４−Ｈ０−（Ｈ２−Ｈ３）｝
となる。
高さＨ４は、Ｈ０同様、ボールの直径Ｄ及び、中心孔径Ｎから、三平方の定理にて導き出すことができ、
Ｈ４＝√｛（１／４）×（Ｄ２−Ｎ２）｝
で求められる。
次に、中心孔のボール転写部への開口縁を通る平面で切断した球冠の体積Ｖ４は、図８に示すように、Ｖ１同様、
Ｖ４＝（π／３）×Ｈ６２×｛（３Ｄ／２）−Ｈ６｝
となる。
高さＨ６は、ボール中心から中心孔の側壁が凹状のボール転写面に接するまでの投影高さＨ４をボール半径から差し引きし求められ、
Ｈ６＝（Ｄ／２）−Ｈ４
となる。
次に、凹状のボール転写部形成前に放射状溝であった部分に相当する部分の容積Ｖ５は、放射状溝であった部分１本についての側壁部分の面積Ａｙが放射状溝の幅Ｗだけ連続した容積として計算し、これを放射状溝の本数分乗じた容積として計算できる。
放射状溝であった部分１本についての側壁部分の面積Ａｙは、ボールの縦断面において凹状のボール転写部の外縁から中心孔側の弓形面積Ａ１から、この弓形面の弦を下底とし、中心孔の縁を結んだ直線を上底とした台形の面積Ａ２と、中心孔を幅とした長方形面積Ａ３と、前記台形の上底を弦とする弓形面積Ａ４とを差し引いた分の面積の二分の一の面積である。
ボールの縦断面において凹状のボール転写部の外縁から中心孔側の弓形面積Ａ１は、図５に示すように、ボールの中心におけると弓形がなす角度をαとすると弓形面積の公式より、
Ａ１＝（１／２）×（Ｄ／２）２×｛（πα／１８０）−ｓｉｎα｝
となる。
ボールの中心と弓形がなす角度αは、ボール転写部の外縁径Ｓ及びボール転写部の外縁までの投影高さＨ０から、三角関数にて導き出すことができ、
ｓｉｎ（α／２）＝（Ｓ／２）／（Ｄ／２）＝Ｓ／Ｄ
で求められる。
弓形面の弦を下底とし、中心孔の縁を結んだ直線を上底とした台形の面積Ａ２は、図６に示すように、
Ａ２＝（１／２）×（Ｓ＋Ｎ）×（Ｈ２−Ｈ３）
となる。
中心孔を幅とした長方形面積Ａ３は、図７に示すように、
Ａ３＝Ｎ×Ｈ５
となる。
前記台形の上底を弦とする弓形面積Ａ４は、図８に示すように、ボールの中心と弓形がなす角度をβとすると、
Ａ４＝（１／２）×（Ｄ／２）２×｛（πβ／１８０）−ｓｉｎβ｝
となる。
ボールの中心と弓形がなす角度βは、ボール径Ｄ及び中心孔径Ｎから、α同様、三角関数にて導き出すことができ、
ｓｉｎ（β／２）＝Ｎ／Ｄ
で求められる。
従って、放射状溝であった部分１本についての側壁部分の面積Ａｙは、図９に示すように、
Ａｙ＝（Ａ１−Ａ２−Ａ３−Ａ４）／２
となり、放射状溝１本の幅長さをＷ、放射状溝の本数をｎとすると、凹状のボール転写部形成前に放射状溝であった部分に相当する部分の容積は、
Ｖ５＝Ａｙ×Ｗ×ｎ
となる。
以上より、内包突出部の肉がボールにより押し込まれる体積は、
Ｖ＝Ｖ１−Ｖ２−Ｖ３−Ｖ４−Ｖ５
にて導かれる。
【００１５】
（２）凹状のボール転写部の表面積の計算は次の方法に基づいた。
凹状のボール転写部の表面積は、図１０に示すように、球体の表面のうち、ボール中心から中心孔の側壁が凹状のボール転写面に接するまでの投影高さＨ４から、ボール中心からボール転写部の外縁までの投影高さＨ０を差し引いたボール転写部の投影高さＨ７を幅分とした帯状部分の表面積から放射状溝に該当する幅部分の開口表面積を差し引いた分の表面積となる。
ボール転写部の投影高さＨ７を幅分とした帯状部分の表面積Ａ５は、ボールを球体とみなし、該帯状部分の表面積Ａ５は、球帯の表面積と言え、球に外接する円柱の側壁のうち、球帯の高さ分の側壁面積に該当する公式に当てはまり、高さをＨ７とすると
Ａ５＝π×Ｄ×Ｈ７
となる。
次に、放射状溝に該当する幅部分の開口表面積Ａ６は、放射状溝１本の開口表面積に放射状溝の本数を乗じて計算でき、放射状溝１本の開口表面積は、ボールの赤道を中心とした放射状溝の幅長さの帯状部分のうち、放射状溝１本の長さに該当する部分である。そして、ボールの赤道を中心とした放射状溝の幅長さの帯状部分の表面積は、放射状溝の
幅長さをＷとすると、ボールの直径をＤとした円周に放射状溝の幅長さを乗じた面積で、ボールの円周に対する放射状溝１本の長さの比と放射状溝の本数を乗じれば放射状溝に該当する幅部分の開口表面積Ａ６が計算できる。放射状溝１本の長さの比は、ボールの中心におけるなす角度の全周に対する占有割合なので、ボール転写部部分のなす角度をγとし、放射状溝の本数をｎとすると、放射状溝に該当する幅部分の開口面積Ａ６は、
Ａ６＝π×Ｄ×Ｗ（γ／３６０°）×ｎ
となる。
以上より、凹状のボール転写部の表面積は、
Ａ＝Ａ５−Ａ６
にて導かれる。
尚、実際の測定においては、測定顕微鏡または、マイクロスコープによりＳ：凹状のボール転写部外縁径、Ｎ：中心孔径を測定することができる。
また、θ：内包突出部の形成角度は、ボールペンチップを縦半分に切断した面の凹状のボール転写部の外縁とボール抱持室の側壁との間に残っている凹状のボール転写部形成前の受座加工痕をマイクロスコープまたは、撮影した写真によって測定することができる。
【００１６】
このようなボールホルダーはインキタンクとなる部材と直接又は接続部材を介して接続される。
ボールペンとして使用するインキとしては、着色剤として顔料を使用した顔料インキ、染料を使用した染料インキ、主溶剤として水を使用した水性インキ、有機溶剤を使用した油性インキなど、いずれも使用することができるが、潤滑剤となる界面活性剤や特にリン酸エステル系潤滑剤を配合したインキであることが好ましい。また、インキ粘度は、書き味の軽さに影響するので、数ｍＰａ・ｓ〜１３００ｍＰａ・ｓ程度の比較的低粘度のインキであることが好ましく、剪断減粘性のインキの場合には、想定される筆記時のボールの回転によって生じる剪断速度３０００［１／ｓｅｃ］付近での粘度が数ｍＰａ・ｓ〜５００ｍＰａ・ｓ程度となるインキであることが好ましいといえる。ただし、インキを剪断減粘指数が、１．０もしくはそれに近い、剪断減粘性のほとんど無いインキとした場合には、静止時の粘度と筆記時の粘度がほぼ同等となるので数ｍＰａ・ｓ〜５００ｍＰａ・ｓ程度となる。
リン酸エステル系潤滑剤としては、例えば、ポリオキシエチレンアルキルエーテルリン酸モノエステル又はジエステル、トリエステルが挙げられ、エチレンオキサイドの付加モル数が０〜２０、末端のアルキルエーテルのアルキル基の炭素数が９〜１８のものなどが例示できる。また、リン酸エステル系の潤滑材以外の併用する潤滑剤としては、例えば、ポリオキシエチレンアルキルエーテル、グリセリン脂肪酸エステル、ポリグリセリン脂肪酸エステル、ソルビタン脂肪酸エステル、ポリオキシエチレンソルビット脂肪酸エステル、ポリオキシエチレンひまし油、ポリオキシエチレン硬化ひまし油、ポリオキシエチレン脂肪酸エステル、ポリオキシエチレンポリオキシプロピレンアルキルエーテル、ポリオキシエチレンアルキルアミン、Ｎ−アシルアミノ酸などが挙げられる。
これらは１種もしくは複数種を混合して使用することもでき、その使用量は、０．１〜５重量％程度が好ましい。
【実施例】
【００１７】
図１に示したものは、筆記部材としてのボール１を、先端開口部２ａより一部突出した状態で回転自在に抱持してなるボールホルダー２とインキ収容部３が接合されてなるボールペンの一例である。外装体に収容されて使用される、所謂リフィルと称されるものとして示してあるが、外装についての図示及び説明は省略する。
ボール１とボールホルダー２と、後述するコイルスプリングとからなるボールペンチップは、その後端の小径部を、ポリプロピレン樹脂などの押し出し成形パイプであるインキ収容部３の先端に圧入して固定されている。
インキ収容部３内には、油性インキ４が収容されており、油性インキ４の後端界面に接して、インキと相溶しない高粘度流体である逆流防止体組成物５が配置されている。特に、低粘度のインキを使用した場合には、インキが後方に移動することを抑制するために逆流防止体組成物を配置することは有効である。
【００１８】
ボールペンチップのみの拡大図である図２にも示すように、ボールホルダー２の内部には、インキ漏れ防止のためのコイルスプリング６が配設されている。このコイルスプリング６は、ボールホルダー２に挿入された後に、押し込まれて全長を圧縮された状態で、ボールホルダー２の後端開口部２ｂを縮径するカシメ加工を施すことによって、ボール１の後端を付勢した状態で固定されている。コイルスプリング６は、伸縮する巻き部６ａと先端直状部６ｂを備えており、先端直状部６ｂが、ボールホルダー２のインキ通路である中心孔を通ってボールの後端を直接押し、ボール１をボールホルダー２の先端開口部２ａの内縁に周接させている。
【００１９】
図３に図２のＩ部拡大図を示すが、説明の都合上、コイルスプリング６の図示は省略し、ボール１は破線で示してある。
ボールホルダー２は、貫通したインキの通路として、先端側よりボール抱持室７、中心孔８、放射状溝９、後穴１０を有している。
ボール抱持室７と後孔１０との間には、内包突出部１１が、周状に等間隔で複数（本例では５個）形成されており、この隣り合った各内方突出部１１の間が放射状溝９となっている。放射状溝９は、ボール抱持室７のボールの外側部分に開口しており、ボール１が後端に移動した場合にもボール１で塞がれていない部分にインキを供給し得る。
ボール１を設置後に、ハンマー工具にてボール１に衝撃力を付与し、ボール１の後方移動を規制する部分である内包突出部１１にボール１を押し付ける。この加工によって内包突出部１１のボール１との当接部分をボール１の形状に変形させ、ボール１の表面が転写された凹状のボール転写部１２を形成する。
凹状のボール転写部１２を形成する前のボール１の受座１３は、凹状のボール転写部１２形成後、凹状のボール転写部１２の外縁とボール抱持室７の側壁７ａとの間に加工痕１３ａとして残っている。
【００２０】
前記凹状のボール転写部１２を形成した後に、ボールホルダー２の先端部分を内側に倒れこませる塑性変形を施してボール１の直径よりも小径の開口部となるように縮径する、所謂カシメ加工を施した部分であり、具体的には、回転するロール部材などを、ボールホルダー２の先端部分外側に斜め方向に押し当て、周状に縮径するものである。
【００２１】
凹状のボール転写部１２が形成される前を図４に示すが、説明の都合上、コイルスプリング６及びボール１の図示は省略してある。
本例のボールペンチップにおいては、内包突出部１１の底面であるボール受座１３の角度を９０°以上としてある。
また、凹状のボール転写部１２が形成される際、内包突出部１１の肉がボール１により押し込まれる体積を０．００１５ｍｍ３以上とするため、中心孔８の径、凹状のボール転写部１２の外縁径を調整している。
この内包突出部１１にボール１が押し込まれる体積部分は、中心孔８と受座１３と次のボール１を押し込む工程で形成される凹状のボール転写部１２（破線で図示）で囲まれた体積から放射状溝９の体積を除いた体積であり斜線部分で図示されている。
【００２２】
上述の一例と同様にして、下記の通り実施例となるボールペンチップを作成した。各実施例の寸法は（表１）に記載の通り。
ボールを設置する際のボール座となる内包突出部の形成角度を９０°以上とするため内包突出部加工切削刃の先端角度を９０°以上である９０°〜１２０°で形成し、中心孔径及び、放射状溝の溝幅長さ・本数を適宜設定し、インキ流量が減少しないボール径の９３％以内のボール転写部外縁径で押し込まれる体積が０．００１５ｍｍ３以上となるようにボールを押圧・調整し、０．００１５ｍｍ３〜０．００５４ｍｍ３の実施例１〜６のボールペンチップを得た。
同様に比較例１〜４は、内包突出部加工切削刃の先端角度が９０°以上である１００°〜１５０°で形成しているが、中心孔径及び、放射状溝の溝幅長さ・本数を適宜設定し、押し込まれる体積が０．００１５ｍｍ３未満である０．０００３ｍｍ３〜０．００１４ｍｍ３にボールを押圧し得た。
また、比較例５、６は、内包突出部加工切削刃の先端角度が９０°未満である８５°で形成し、中心孔径及び、放射状溝の溝幅長さ・本数を適宜設定し、押し込まれる体積が０．００１５ｍｍ３〜０．００２６ｍｍ３と０．００１５ｍｍ３以上になるようボールを押圧し得た。
【００２３】
また、筆記サンプルとして作成したボールペンチップには、ボール付勢力２０ｇとなるコイルスプリングを設置し、ぺんてる（株）製の０．７ｍｍボールペン「Ｒｏｌｌｙ」（製品符号：ＢＰ１２７）のインキ収容パイプに固定し、後述の油性インキを充填して、ペン先の方向に遠心力が働くようにして、遠心分離機（国産遠心器（株）製：卓上遠心機Ｈ−１０３Ｎ）で遠心処理を施し、筆記具内に存在する気体を除去して試験用ボールペンサンプルとした。
【００２４】
【表１】
2015160394.tif 000003
【００２５】
試験に使用したインキの配合は次の通り。
インキを製造するには、分散した顔料と他の成分、例えば粘度調整用樹脂や溶剤、潤滑剤等を混合し、ホモミキサー等の撹拌機にて均一になるまで溶解・混合することで得られるが、場合によって混合したインキをさらに分散機にて分散したり、得られたインキを濾過や遠心分離機に掛けて粗大粒子や不溶解成分を除いたりすることは何ら差し支えない。
プリンテックス３５（カーボンブラック、デグサヒュルスジャパン（株）製）
６．０部
ＳＰＩＬＯＮ  ＶＩＯＬＥＴ  Ｃ−ＲＨ（油性染料、保土谷化学工業（株）製）
１６．３部
ＶＡＬＩＦＡＳＴ  ＹＥＬＬＯＷ  Ｃ−ＧＮＨ（油性染料、オリエント化学工業
（株）                                                            ３．１部
ジエチレングリコールモノメチルエーテル                          ５０．１部
エチレングリコールモノイソプロピルエーテル                      １６．０部
エスレックＢＬ−１（ポリビニルブチラール、積水化学工業（株）製）  １．６部
エスレックＢＨ−３（ポリビニルブチラール、積水化学工業（株）製）  ０．４部
フォスファノールＬＢ４００（ポリオキシエチレンアルキルエーテルリン酸、活性剤、東邦化学工業（株）製）                                        １．５部
ナイミーンＬ２０１（ポリエチレングリコール−１ラウリルアミン、日油（株）製）
１．０部
ヒタノール１５０１（アルキルフェノール樹脂、日立化成工業（株）製）０．５部
ＦＺ−７００２（ポリエーテル変性シリコーンオイル、東レダウコーニング（株）製）
０．２５部
ニッコールＨＣＯ−１０（ＰＯＥ硬化ひまし油、日光ケミカルズ（株）製）
２．０部
上記成分のうち、ジエチレングリコールモノメチルエーテルの全量と、エスレックＢＬ−１の全量を７０゜Ｃで攪拌、混合溶解した後、これを室温まで放冷してからプリンテックス３５の全量を加えダイノーミル（ビーズミル、（株）シンマルエンタープライズ製）で直径０．３ｍｍのジルコニアビーズを用い１０回通しを行い黒色のペーストを得た。
次いで、このペーストに残りの材料の全量を加え、７０℃で３時間攪拌して黒色のボールペン用油性インキを得た。尚、上記組成の単に「部」とあるのは「重量部」を表す。
【００２６】
下記に示す筆記試験を実施した。結果は（表２）に示す。
（筆記試験）
自動筆記機である精機工業社製ＰＥＮ  ＷＲＩＴＩＮＧ  ＴＥＳＴＥＲ  ＭＯＤＥＬ  ＴＳ−４Ｃ−１０にて上記試験用サンプルを用い筆記試験を実施し、筆跡を目視にて確認した。
自動筆記機による筆記条件は、ボール回転性が低下し易い、３００ｇ強荷重とし、６０゜の低筆記角度とし、筆記速度７ｃｍ／ｓｅｃでペンを自転させながら５ｍ螺旋筆記を行った。
各サンプル３本づつ筆記し、下記の基準で判定した。
○：筆記開始から連続した筆記線。
△：筆記開始から１ｍ以内筆記線が部分的に途切れ、その後連続した筆記線。
×：筆記開始から１ｍ以上筆記線が部分的に途切れる。
【００２７】
【表２】
2015160394.tif 000004
【００２８】
各実施例は、内包突出部の形成角度が９０°以上であると共に、ボール転写部が形成される際、内包突出部の肉がボールにより押し込まれる体積を０．００１５ｍｍ３以上としてあるのでスプリングバック現象が抑制され、ボール受座部がボールの表面形状に、より近似し、円滑なボール回転となり、安定した連続した筆跡が得られた。
実施例１〜３は、同一のボール直径で、且つ、中心孔径、放射状溝の幅長さ、放射状溝の本数も同一とし、内包突出部の形成角度を９０°、１００°、１２０°と３水準のものを製作して、ボールを内包突出部に押し込む深さの結果であるボール転写部外縁径を調整し、内包突出部の肉がボールにより押し込まれる体積をほぼ同一に調整しサンプルを得た。実施例１は、筆記直後、筆記線が部分的に途切れ、１ｍ以降連続した筆記線となったのに対し、実施例２・３は筆記開始から連続した筆記線で良好な結果を得た。これは、内包突出部の形成角度が鈍角になるにつれ、押圧力が径の膨らみに消費されない作用と共に、凹状のボール転写部表面積が小さくなり、単位表面積当たりの体積が増加することとなるため効率的に応力が掛かり、スプリングバック現象が抑制されたと推察される。
また、内包突出部の形成角度が鈍角になるにつれ、ボール転写部外縁径が小さくなり、インキ流通路である放射状溝のボール外側に開口した部分が増加するので、より潤沢に潤滑剤としてのインキがボールハウス内に供給できる。
これに対し、比較例１〜４では、内包突出部の形成角度は９０°以上であるが、押し込まれる体積が０．００１５ｍｍ３未満であるため筆記線が部分的に途切れた。
また、比較例５、６では、押し込まれる体積が０．００１５ｍｍ３以上と十分ではあるが、内包突出部の形成角度が９０°未満であるため同様に、筆記線が部分的に途切れた。
【符号の説明】
【００２９】
１  ボール
２  ボールホルダー
２ａ先端開口部
２ｂ後端開口部
３  インキ収容部
４  インキ
５  逆流防止体組成物
６  コイルスプリング
６ａ巻き部
６ｂ先端直状部
７  ボール抱持室
７ａ側壁
８  中心孔
９  放射状溝
１０後穴  
１１内包突出部
１２凹状のボール転写部
１３受座
１３ａ加工痕
Ｈ０  ボール中心からボール転写部の外縁までの投影高さ
Ｈ１  ボールを凹状のボール転写部の外縁周長さに該当する横断周となる部分で切断した球冠の高さ
Ｈ２  底径を凹状のボール転写部の外縁径とした円錐の高さ
Ｈ３  底径を中心孔径とした円錐の高さ
Ｈ４  ボール中心から中心孔の側壁が凹状のボール転写面に接するまでの投影高さ
Ｈ５  中心孔に相当する部分の円柱の高さ
Ｈ６  中心孔のボール転写部への開口縁を通る平面で切断した球冠の高さ
Ｈ７  凹状のボール転写部の投影高さ
Ｖ  内包突出部の肉がボールにより押し込まれる体積
Ｖ１  ボールを凹状のボール転写部の外縁周長さに該当する横断周となる部分で切断した球冠の体積
Ｖ２  底径を凹状のボール転写部の外縁とし上径を中心孔の直径とした円錐台の体積
Ｖ３  中心孔に相当する部分の容積
Ｖ４  中心孔のボール転写部への開口縁を通る平面で切断した球冠の体積
Ｖ５  凹状のボール転写部形成前に放射状溝であった部分に相当する部分の容積
Ａ  凹状のボール転写部の表面積
Ａ１  凹状のボール転写部の外縁から中心孔側の弓形面積
Ａ２  凹状のボール転写部の外縁を下底とし、中心孔の縁を結んだ直線を上底とした台形の面積
Ａ３  中心孔を幅とした長方形面積
Ａ４  中心孔を弦とする弓形面積
Ａ５  凹状のボール転写部の投影高さを幅分とした帯状部分の表面積
Ａ６  放射状溝に該当する幅部分の開口表面積
Ａｙ  放射状溝１本について、変形される範囲の放射状溝の側壁部分の面積
θ  内包突出部の形成角度
α  ボールの中心と凹状のボール転写部の外縁から中心孔側の弓形がなす角度
β  ボールの中心と中心孔を弦とする弓形がなす角度
γ  ボール転写部部分のなす角度
【図１】
2015160394.tif 000005
【図２】
2015160394.tif 000006
【図３】
2015160394.tif 000007
【図４】
2015160394.tif 000008
【図５】
2015160394.tif 000009
【図６】
2015160394.tif 000010
【図７】
2015160394.tif 000011
【図８】
2015160394.tif 000012
【図９】
2015160394.tif 000013
【図１０】
2015160394.tif 000014